(57)【特許請求の範囲】
【請求項１】
レーザ素子より放射されるレーザビームを対物レンズにより収束させて記録媒体に照射させ、該記録媒体から反射光を受光素子にて受光させる光ピックアップ装置の製造方法において、前記対物レンズとトラッキングコイルとフォーカスコイルとが取付けられたレンズホルダと、該レンズホルダをサスペンションワイヤを介してアクトフレームにて変位可能に支持させるアクチュエータとを構成し、マグネットが配置されたベースと、該アクチュエータとの間隔を調整する調整ネジの間に、バネ性を付与するＵ字型の板状の樹脂を挿入し、該ベースに対して該アクチュエータをスキュー調整し、Ｕ字型に折り曲げて付勢して調整した後に、該ベースと該アクチュエータとを固定し、該Ｕ字型の板状の樹脂を切断することを特徴とする光ピックアップ装置の製造方法。
【請求項２】
前記アクトフレームの端部に板状の前記樹脂を一体成型し、板状の部分をバネ性を付与するＵ字型に折り曲げて前記調整ネジの間に挿入させることを特徴とする請求項１記載の光ピックアップ装置の製造方法。
【発明の詳細な説明】
【０００１】
【発明の属する技術分野】
本発明は、光ピックアップ装置のスキュー調整に関し光ピックアップ装置の製造方法に関するものである。
【０００２】
【従来の技術】
光ピックアップ装置により、ＣＤなどディスクに記録された信号を正確に読み取る機構として、スキュー調整機構が設けられている。スキュー調整は、レーザ素子から放射されたレーザビームが対物レンズを介してディスクに照射されるときに、対物レンズをラジアル方向およびタンジェンシャル方向に傾き調整するもので、レーザビームがディスクの面に直角に照射されることで、ビームスポットが円形に調整され、正確にディスクの信号が読み取られる。
【０００３】
従来の光ピックアップ装置の一例として、図３に示す斜視図を参照しつつ説明する。図
３において、ベース１には、２つのマグネット２ａ、２ｂが装着固定されるとともに、ベース１と一体成型された腕状の保持板１ａが装着され、保持板１ａには、調整ネジ３が挿入されるタップ１ｂがネジ切りされている。
【０００４】
４は、対物レンズ５が装着され、フォーカスコイル１３とトラッキングコイル１４とが巻回されたレンズホルダであり、レンズホルダ４には、各上面および下面の両端部に支持部６と副支持部７とが設けられ、この支持部６と副支持部７とには、弾性を有するサスペンションワイヤ８が固着されている。
【０００５】
９は、サスペンションワイヤ８が支持部６と副支持部７とにて固着され他端が支持されたアクトフレームである。９ａは、アクトフレーム９の端部に一体成型され、タップ１ｂと係合する位置に設けられた腕状の調整ベースである。
【０００６】
１０は、アクトフレーム９の面に接着され、サスペンションワイヤ８が半田付けされたプリント基板である。１１は、アクトフレーム９とプリント基板が接着された中心部をベース１に固定する固定ネジであって、固定ネジ１１を中心に、アクトフレーム９とプリント基板１０とを時計方向または反時計方向に偏移させることにより、ラジアルスキュー調整が行なわれる。１２は、調整ベース９ａとタップ１ｂとの間隔を調整する調整ネジ３を包むように挿入されるスプリングである。
【０００７】
以上のように構成された光ピックアップ装置のタンジェンシャルスキューを調整する方法として、ベース１に設けられた保持板１ａと、アクトフレーム９と一体成型された調整ベース９ａとの間には、スプリング１２を通した調整ネジ３が設けられており、調整ネジ３を回転させることにより、ベース１に対してアクトフレーム９をＡ方向またはＢ方向に移動調整させることによって、タンジェンシャルスキュー調整ができる。
【０００８】
また、タンジェンシャルスキュー調整後に、固定ネジ１１を中心に、アクトフレーム９とプリント基板１０とを時計方向または反時計方向へ偏移させることにより、ラジアルスキュー調整が行なわれる。そして、調整後は、固定ネジ１１によって、プリント基板１０とアクトフレーム９とは、完全にベース１に固定される。
【０００９】
ところで、前述したような方式において、スプリング１２が使用されてベース１に対してアクチュエータ調整されるが、調整後においても、ベース１とレンズホルダ４との間は、スプリング１２により付勢された状態とされているので、車に搭載されたＣＤプレーヤなどは、夏と冬との温度変化による膨張および収縮により、スキュー調整ずれを起こすことがあった。
【００１０】
【発明が解決しようとする課題】
前述したように、常時、スプリング１２によってベース１に対してアクチュエータが付勢されている光ピックアップ装置においては、温度変化による膨張や収縮によってスキュー調整がずれることがあった。また、安価でしかも高品質の光ピックアップ装置が望まれている。
【００１１】
本発明は、斯かる問題を解決した光ピックアップ装置の製造方法を提供しようとするものである。
【００１２】
【課題を解決するための手段】
本発明の請求項１に係る光ピックアップ装置の製造方法は、レーザ素子より放射されるレーザビームを対物レンズにより収束させて記録媒体に照射させ、該記録媒体から反射光を受光素子にて受光させる光ピックアップ装置の製造方法において、前記対物レンズとト
ラッキングコイルとフォーカスコイルとが取付けられたレンズホルダと、該レンズホルダをサスペンションワイヤを介してアクトフレームにて変位可能に支持させるアクチュエータとを構成し、マグネットが配置されたベースと、該アクチュエータとの間隔を調整する調整ネジの間に、バネ性を付与するＵ字型の板状の樹脂を挿入し、該ベースに対して該アクチュエータをスキュー調整し、Ｕ字型に折り曲げて付勢して調整した後に、該ベースと該アクチュエータとを固定し、該Ｕ字型の板状の樹脂を切断することを特徴とする。
【００１３】
【発明の実施の形態】
図１は、本発明に係る光ピックアップ装置の製造方法の一実施形態を示す斜視図、図２は、図１に示す光ピックアップ装置の分解斜視図である。
【００１４】
図１及び図２に示す本実施の形態において、図３の従来例と同一の図番を使用する。図２において、ベース１には、２つのマグネット２ａ、２ｂが装着固定されるとともに、ベース１と一体成型された腕状の保持板１ａが装着され、保持板１ａには、調整ネジ３が挿入されるタップ１ｂがネジ切りされている。
【００１５】
４は、対物レンズ５が装着され、フォーカスコイル１３とトラッキングコイル１４とが巻回されたレンズホルダであり、レンズホルダ４には、上面および下面の両側面部に支持部６と副支持部７とが設けられ、この支持部６と副支持部７とには、弾性を有するサスペンションワイヤ８が固着されている。
【００１６】
９は、サスペンションワイヤ８が支持部６及び副支持部７に固着されサスペンションワイヤ８の他端を支持するアクトフレームである。９ｂは、アクトフレーム９の端部に一体的に成型された薄状の樹脂を使用した樹脂板であって、例えばＡＢＳ樹脂が使用され、Ｕ字型に折曲げ可能に成型されており、タップ１ｂと係合する位置に設けられている。
【００１７】
９ｃは、樹脂板９ｂに設けられた第１貫通孔、９ｄは、第２貫通孔であり、樹脂板９ｂを図１に示す通りＵ型に折り曲げてばね性を付与させ、調整ネジ３を第１貫通孔と第２貫通孔とに通し、タップ１ｂに螺合される。
【００１８】
１０は、アクトフレーム９に接着されサスペンションワイヤ８が半田付けされたプリント基板である。１１は、アクトフレーム９とプリント基板１０の中心部に設けられた固定孔１５をベース１にネジ切りされた固定部１６に固定される固定ネジであって、固定部１６を中心に、アクトフレーム９とプリント基板１０とを時計方向および反時計方向に偏移させるように構成されている。
【００１９】
以上のように構成された光ピックアップ装置のタンジェンシャルスキューを調整する方法として、まず、ベース１と、予め治具により対物レンズ５が搭載されたアクチュエータ部分とを組み合わせることから始めるが、まず、固定孔１５に固定ネジ１１を挿入し、固定部１６に螺合させ仮止めする。
【００２０】
その後に、アクトフレーム９に一体成型された樹脂板９ｂを、図１に示すようにＵ字型に折り曲げることにより、スプリングと同等な付勢力が得られ、調整ネジ３を第１貫通孔９ｃと第２貫通孔９ｄとに挿設させタップ１ｂに螺合させて、調整ネジ３を螺合回転調整させる。これにより、ベース１に対してアクトフレーム９をＡ方向またはＢ方向に偏移調整させることによって、対物レンズ５も同様に傾きを変更することができるので、タンジェンシャルスキュー調整ができる。
【００２１】
また、タンジェンシャルスキュー調整後に、ラジアルスキュー調整を行うことになり、前述したように、固定ネジ１１にて仮止めされたアクトフレーム９とプリント基板１０と
は、再度、固定部１６を中心に、アクトフレーム９とプリント基板１０とを時計方向および反時計方向へ偏移調整させることにより、ラジアルスキュー調整が完了し、固定ネジ１１を完全に締付け固定する。その結果、スキュー調整された光ピックアップ装置のレーザビームがディスクの面に直角に照射されることで、ビームスポットが円形に調整され、正確にディスクの信号を読み取ることができる。
【００２２】
そして、タンジェンシャルスキュー調整とラジアルスキュー調整とが完了した光ピックアップ装置において、付勢されているＵ字部分である第１貫通孔９ｃと第２貫通孔９ｄとの間を切断する。
【００２３】
【発明の効果】
以上の如く、請求項１記載の発明によれば、レーザ素子より放射されるレーザビームを対物レンズにより収束させて記録媒体に照射させ、記録媒体から反射光を受光素子にて受光させる光ピックアップ装置の製造方法において、対物レンズとトラッキングコイルとフォーカスコイルとが取付けられたレンズホルダと、レンズホルダをサスペンションワイヤを介してアクトフレームにて変位可能に支持させるアクチュエータとを構成し、マグネットが配置されたベースと、アクチュエータとの間隔を調整する調整ネジの間に、板状の樹脂をＵ字型に曲げてバネ性を付与させて挿入しスキュー調整するので、ステンレスなどを使用していたスプリングを削除することができ、大幅なコストダウンをすることができる。
また、Ｕ字型に折り曲げて付勢して調整した後に、ベースとアクチュエータとを固定ネジにより完締した後に、Ｕ字型の板状の樹脂を切断することにより、常時付勢されていたベースとアクチュエータとの間の付勢力がなくなり、スキュー調整ずれが発生する要因が削減される。
【００２４】
また、請求項２記載の発明によれば、アクトフレームの端部に一体成型された板状の樹脂をＵ字型に付勢することにより、別に板状の樹脂を成型する必要がないので、更にコストダウンが可能となった。
【００２５】
【図面の簡単な説明】
【図１】  本発明に係る光ピックアップ装置の製造方法の一実施形態を示す斜視図である。
【図２】  図１に示す光ピックアップ装置の分解斜視図である。
【図３】  従来の光ピックアップ装置の一形態を示す斜視図である。
【符号の説明】
１    ベース
２ａ  マグネット
２ｂ  マグネット
３    調整ネジ
４    レンズホルダ
５    対物レンズ
６ 支持部
７ 副支持部
８    サスペンションワイヤ
９    アクトフレーム
９ａ 調整ベース
９ｂ 樹脂板
９ｃ 第１貫通孔
９ｄ 第２貫通孔
１０ プリント基板
１１  調整ネジ
１２ スプリング
１３  フォーカスコイル
１４  トラッキングコイル
１５ 固定孔
１６ 固定部
【図１】
0003857884.tif 000002
【図２】
0003857884.tif 000003
【図３】
0003857884.tif 000004